(57)【要約】    本発明はオーディオとUSBインターフェイスを持つ信号伝送線に関する。信号伝送線は四芯接続線であり、当該四芯接続線の一端にはUSBインターフェイスが接続され、他の一端には一つのデュアルトラックオーディオインターフェイスが接続される。四芯接続線には更に一つの巻線器が突出して設けられ、当該巻線器は一つの箱体であり、その中に上記四芯接続線を巻くための巻線軸が枢設される。巻線器の表面には二つの開口が設けられ、四芯接続線の両端はそれぞれ上記二つの開口から突き出す。上記四芯接続線の線そのもの自体は上記巻線軸に巻き付けられる。本発明は四線路のデュアルトラックオーディオインターフェイスを現存のUSBデータインターフェイスの四つの伝送線路の各々と対応して接続することを通じて、さらに巻線器のパッケージを通じて、上記複数の繁雑な接続線及びUSBデータインターフェイスの大きさが比較的に大きいという二つの問題が好的に解決され、使用者の多くの実用的な需要を満足させることができる。
2008538443.tif 000002
【特許請求の範囲】
【請求項１】
信号伝送線は四芯接続線であり、当該四芯接続線の一端にはUSBインターフェイスが接続され、上記四芯接続線の他の一端には一つのデュアルトラックオーディオインターフェイスが接続され、上記デュアルトラックオーディオインターフェイスの二つのオーディオ信号端は上記USBインターフェイスの二つのデータ信号端と対応して接続され、上記デュアルトラックオーディオインターフェイスの接地端は上記USBインターフェイスの接地端と対応して接続され、上記デュアルトラックオーディオインターフェイスのコントロール信号端は上記USBインターフェイスの電源端と接続され、
上記四芯接続線には更に巻線器が設けられ、当該巻線器は一つの箱体であり、その内の中には上記四芯接続線を巻き付けるための巻線軸が枢着され、上記巻線器の表面には二つの開口が設けられ、上記四芯接続線の両端はそれぞれ上記二つの開口から突き出て、上記四芯接続線の線自身は上記巻線軸に巻き付けられることを特徴するオーディオとUSBインターフェイスを持つ信号伝送線。
【請求項２】
上記USBインターフェイスはUSBプラグ或いはUSBコンセントであり、上記USBプラグは標準的な大プラグ或いは小プラグであり、上記USBコンセントは標準的な大コンセント或いは小コンセントであることを特徴する請求項1記載のオーディオとUSBインターフェイスを持つ信号伝送線。
【請求項３】
上記USBインターフェイスは固定部と枢軸を通じて固定部に枢着して回転でき、他の電子設備のUSBインターフェイスを挿着するための可動部が含まれ、上記可動部における四つの接続点は上記枢軸の中及び上記固定部の中に挿入される導線を通じて上記四芯接続線と接続されることを特徴する請求項1記載のオーディオとUSBインターフェイスを持つ信号伝送線。
【請求項４】
上記デュアルトラックオーディオインターフェイスは四芯オーディオプラグ或いは四芯オーディオコンセントであることを特徴する請求項1記載のオーディオとUSBインターフェイスを持つ信号伝送線。
【請求項５】
上記巻線器には一つの転動盤が設けられ、当該転動盤の一面は上記箱体の外側表面に突出して設けられ、上記転動盤の他の一面は上記箱体に挿入され、上記巻線軸の一端面と固定して接続し或いは一体に形成して接続し、上記巻線軸の他の一端面は上記箱体の内側表面と枢着し、上記巻線軸には上記四芯接続線をスナップするためのスナップイン構造が設けられることを特徴する請求項1〜４の何れかに記載のオーディオとUSBインターフェイスを持つ信号伝送線。
【請求項６】
上記巻線軸が上記転動盤と固定して接続する端面には、上記箱体の中に位置して上記巻線軸が軸線の方向への移動を防止する止板があり、上記スナップイン構造は上記巻線軸に開設される止線溝であり、或いは上記巻線軸に設置するスナップインボタンであることを特徴する請求項５に記載のオーディオとUSBインターフェイスを持つ信号伝送線。
【請求項７】
上記転動盤の側面の周りには押し操作ための凸部が設けられることを特徴する請求項５に記載のオーディオとUSBインターフェイスを持つ信号伝送線。
【請求項８】
上記転動盤の表面には押し操作のための折り畳み取っ手、伸び縮み取っ手或いは凹みが設けられることを特徴する請求項５に記載のオーディオとUSBインターフェイスを持つ信号伝送線。
【請求項９】
上記巻線軸の中には当該巻線軸が上記四芯接続線を回して引き出す状態で逆方向への回転動力を発生するための復位スプリングが設けられ、上記巻線軸には止動装置が設けられ、当該止動装置は上記巻線軸が逆方向へ復位回転するのを防止するために使用され、上記止動装置は上記巻線軸に囲繞するラチェットと弾力性プラグであり、上記弾力性プラグは上記箱体の内側表面に固定するプラグカバー及び当該プラグカバーの中に取り付けられて一端が延び、上記ラチェットの歯の間に挿入して設けられるプラグ柱が含まれ、当該プラグ柱は上記プラグカバーにおける部分をその中に取り付けて上記プラグ柱の外側に向かって伸びるスプリングと当接し、上記プラグ柱には押しロッドが設けられ、当該押しロッドは上記プラグカバー及び上記箱体に対応して予め設けられた溝を通じて箱体から伸び、当該箱体外部に設けられる押しボタンと接続されることを特徴する請求項５に記載のオーディオとUSBインターフェイスを持つ信号伝送線。
【請求項１０】
上記箱体の側面には上記開口の縁においてそれぞれ上記USBインターフェイス及び上記デュアルトラックオーディオインターフェイスを置くための収納溝が設けられることを特徴する請求項５に記載のオーディオとUSBインターフェイスを持つ信号伝送線。
【請求項１１】
上記巻線軸は各々回転し或いは同時に回転し、上下同心が積み重なり、上記箱体の中に枢着される二つの巻線半軸より構成し、上記二つの巻線半軸の対接端面には各々一つの線止板が設けられ、二つの線止板の間には四組のブラシが設けられ、上記四芯接続線は二つの部分にわかれ、それぞれ上記二つの巻線半軸に巻き付けられ、当該四芯接続線の二つの部分は上記箱体の中における四つの線端を通じて上記四組のブラシの各々に対応して電気接続され、上記二つの巻線半軸の内部には逆方向へ上記四芯接続線を巻き取るための復位スプリングが設けられ、二つの巻線半軸と上記箱体との間には各自に上記巻線半軸が上記四芯接続線を逆方向へ巻き取り或いは引き出すのを止めるための、または解放するための手動止動器が設けられ、当該手動止動器は上記巻線半軸に固定する転動部と上記箱体に固定するコントロール部より構成され、止まった状態で、上記コントロール部は上記転動部に当接し、当該転動部が回転を止めることを特徴する請求項1〜４の何れかに記載のオーディオとUSBインターフェイスを持つ信号伝送線。
【請求項１２】
上記転動部は上記巻線半軸と上記箱体との枢着端に囲繞する円盤であり、当該円盤は上記箱体側の表面に外縁に沿って分散して複数の凸歯が設けられ、上記複数の突出歯は一つの環形で構成し、上記コントロール部は上記箱体の内側表面に固定して、一端が開放された柱形筐体及び当該柱形筐体の中に取り付けられて、一端が伸びる止動プラグが含まれ、当該止動プラグの外端部には上記複数の突出歯と適合する止動歯が設けられ、上記止動プラグは上記柱形フレームの中における部分が当該柱形フレームの中に取り付けられて、上記止動プラグを外側へ伸ばすためのスプリングと当接し、上記止動プラグには押しロッドが設けられ、当該押しロッドは上記箱体及び上記箱体上に対応して予め設けられた溝を通じて上記箱体から出て、箱体の外部に設置される押しロッドに接続されることを特徴する請求項１１に記載のオーディオとUSBインターフェイスを持つ信号伝送線。
【請求項１３】
上記巻線軸は上記箱体の中に枢設される転軸であり、その一端部には一つの円板形のボックスが囲繞されて固定され、当該円板形のボックスの中には逆方向へ、上記四芯連続線を巻き取るための復位スプリングが設けられ、上記円板形のボックスの側面には同じ方向の斜め凹歯が削り設けられて分散され、上記箱体の側面には止動ボタンが設けられ、当該止動ボタンは上記箱体の内側における底部に斜め方向に上記円板形のボックスの側面と当接する止動ロッドが設けられ、当該止動ロッドの端部には上記斜め凹歯とマッチングする尖った角があり、上記止動ロッドと上記止動ボタンの底部との連結部分は上記箱体と枢着されることを特徴する請求項1〜４の何れかに記載のオーディオとUSBインターフェイスを持つ信号伝送線。
【請求項１４】
上記巻線軸には間隔をおいて二層の間隔板が囲繞されて固定され、その中で下層の間隔板は上記箱体へ向かう下表面に上記巻線軸を円の中心にして一つの円形環形リブが設けられ、上記箱体の中には上記円形環形リブの側面にはもう１つの固定軸が設けられ、当該固定軸には一つの多層環状トルクスプリングが設けられ、当該多層環状トルクスプリングの中心端部は上記固定軸にスナップして固定し、多層環状トルクスプリングの外側の他の一端は上記円形環形リブの表面にスナップして固定し、上記四芯接続線は上記巻線軸に巻き付けられて、それぞれ上記下層の間隔板と上層との間に及び上記上層の間隔板と上記箱体の内側表面との間に形成される二つの空間に設けられ、上記下層の間隔板の側面には同じ方向に斜め凹歯が削られて分散され、上記箱体の側面には止動ボタンが設けられ、当該止動ボタンは上記箱体の内側底部には斜め方向に上記下層の間隔板の側面と押し触れる止動ロッド設けられ、当該止動ロッドの端部には上記斜め凹歯とマッチングする尖った角があり、上記止動ロッドと上記止動ボタンの底部との交接部分は上記箱体と枢着されることを特徴する請求項1〜４の何れかに記載のオーディオとUSBインターフェイスを持つ信号伝送線。
【発明の詳細な説明】
【技術分野】
【０００１】
本発明は、オーディオとUSBインターフェイスを持つ信号伝送線であって、特に四芯接続線の両端にオーディオ信号インターフェイスとUSBデータインターフェイスが設けられる信号伝送線に関する。
【背景技術】
【０００２】
人々の物質生活や精神生活のレベルが絶えず高まり、現代人の仕事や生活の中の早いリズムおよび高いモバイル性という特徴に伴い、各種の精巧に、しかも高性能のモバイル電子製品、例えば携帯電話、PDA、ＭＰ３プレーヤー、モバイル記憶装置及びノートパソコンが市場に現れた。これらの小型電子設備は、大型固定電子設備に接続され、またはこれらの小型電子設備に相互接続されることにより、大量のデータ、情報の処理と伝送を行うことができ、人々の日常の仕事のために極めて価値のある利便を与え、同時に人々の日常生活に極めて大きい情報が享受されます。
【０００３】
上述の小型電子設備が、全部で電子情報或いはデータの処理・伝送に基づくため、使用者は必要に応じて、自分の持つ小型電子設備を他の小型移動電子設備或いは固定電子設備に接続し、互いにデータ或いは情報を伝送可能にする。しかし、複数の電子設備間における情報交換は専用のインターフェイスと接続線を必要となるし、このようにすることは各種異なる接続線が多く繁雑となり、使用者に多くのトラブルを与えてきた。これらのトラブルは、主として、使用者の異なる需要によって設備間の情報を伝送するときに生じる。まず異なる機能の伝送線を選べるよう、通常使用しないときには必ず適切に各種伝送線を保管しなければならないし、同時に強く結び或いは曲がりすぎて折れ切れてしまうことを防止しなければならないことなどがある。
【０００４】
さらに、現在、小型電子設備の発展方向が設備そのものの性能を絶えず高めると同時に、多くの付加機能を拡張し、また、その大きさも更なるミクロ化に向けて発展している。そのため、一般的な標準また非標準的なUSBインターフェイスはその大きさが大きすぎるため、もはや小型電子設備のミクロ化の高速発展に適応することができない。小型放送類電子設備を常時使用するミクロ型信号伝送インターフェイスは、同軸オーディオ輸入・輸出インターフェイスであり、最小に製作され、しかも数本の信号伝送線路を持つことができ、ミクロ型電子設備のオーディオ入力・出力の要求を完璧に満足させることができる。
【０００５】
上述したように、どのようにして、使用者に与える多くの繁雑な接続線のトラブルを解決し、現在のUSBデータインターフェイスの応用方式を変更して、小型移動電子設備のミクロ化の一層の発展に適応させるのかが、当該産業生産製造企業ができるだけ早く解決しなければならない１つの重要な問題になってきている。
【発明の開示】
【発明が解決しようとする課題】
【０００６】
本発明の目的は、上述の現存のUSBデータインターフェイスが、もはや小型電子設備のミクロ化の高速発展に適応できないという現状に鑑み、オーディオとUSBインターフェイスを持つ信号伝送線を提供することにある。当該伝送線はオーディオ・USB信号複用インターフェイスを持つ電子設備と接続し、オーディオ信号とデータ信号が１つの伝送線を流れる情報伝送を実現できる。
【０００７】
本発明の他の１つの目的は、上述の多くの繁雑な接続線が使用者に与えるトラブルに鑑みて、オーディオとUSBインターフェイスを持つ信号伝送線を提供することにあり、当該伝送線は巻線器を通じて線体自身をパッケージして、使うときに伝送線を適量に引き出すことができる。
【課題を解決するための手段】
【０００８】
上記目的を実現するため、本発明はオーディオとUSBインターフェイスの信号伝送線を提供している。それは一端にはUSBインターフェイスが接続される四芯接続線が含まれる。上記四芯接続線の他の一端には一つのデュアルトラックオーディオインターフェイスが接続され、上記デュアルトラックオーディオインターフェイスの二つのオーディオ信号端は上記USBインターフェイスの二つのデータ信号端と対応して接続され、上記デュアルトラックオーディオインターフェイスの接地端は上記USBインターフェイスの接地端と対応して接続され、上記デュアルトラックオーディオインターフェイスのコントロール信号端は上記USBインターフェイスの電源端と接続される。上記四芯接続線には更に巻線器が設けられ、当該巻線器は一つの箱体であり、その内の中には上記四芯接続線を巻き付けるための巻線軸が枢着され、上記巻線器の表面には二つの開口が設けられ、上記四芯接続線の両端はそれぞれ上記二つの開口から突き出し、上記四芯接続線の線そのもの自体は上記巻線軸に巻き付けられる。上記巻線軸が回る状態で、上記四芯接続線は箱体に取り込まれ或るいは引き出される。
【発明の効果】
【０００９】
上述の技術の方案から分かるように、本発明は四つのデュアルトラックオーディオインターフェイスと現有の  USBデータインターフェイスの四つの伝送線路の各々と対応して接続し、また巻線器のパッケージを通じて、上記の複数の接続線とUSBデータインタフェイスの大きさが比較的大きくなるという二つの問題を解決し、使用者にとって多くの実用的な需要を満足させることができる。
【００１０】
以下、具体的な実施の形態と図面を合わせて本発明について詳述する。
【発明を実施するための最良の形態】
【００１１】
実施例１
【００１２】
図１に示したように、本実施例はオーディオとUSBインターフェイスを持つ信号伝送線についてのものである。その一端にUSBインターフェイ１を接続する四芯接続線２が含まれ、四芯接続線２の他の一端にはデュアルデュアルトラックトラック（dual track）オーディオインターフェイス３が接続される。デュアルトラックオーディオインターフェイス３の二つのオーディオ信号端はUSBインターフェイ１の二つのデータ信号端に対応して接続される。デュアルトラックオーディオインターフェイス３の接地端はUSBインターフェイ１の接地端と対応して接続される。デュアルトラックオーディオインターフェイス３のコントロール信号端はUSBインターフェイス１の電源端と接続される。
【００１３】
四芯接続線２には、更に１つの巻線器４が突出して設けられる。図２に示したように、巻線器４は一つの箱体であり、その中には巻線軸５が枢設され、当該巻線器５は四芯接続線２を巻くのに使われる。巻線器４の表面には開口４１と開口４２という二つの開口が設けられる。四芯接続線２の一端は開口４１から突き出し、四芯接続線２の他の一端は他の開口４２から突き出している。四芯接続線２の線それ自体は巻線軸５に巻き付けられ、巻線軸５が回転する状態で四芯接続線２は巻線器４の箱体に巻かれ或いは引き出される。
【００１４】
本実施例の中で、USBインターフェイス１はUSBプラグでもいいし、USBコンセントでもいい。また、USBプラグは標準的な大型プラグ或るいは小型プラグでもいい。USBコンセントも標準的な大型コンセント或るいは小型コンセントでもいいし、デュアルトラックオーディオインターフェイス３は四芯オーディオプラグ或るいは四芯オーディオコンセントでもいい。
【００１５】
USBインターフェイス1はコンピュータ或るいは他の電子設備のUSBインターフェイスと接続されるとき、USBインターフェイス１が意外と触れるので壊れるとか、接触不良でデータ或いは信号の誤りが生じることを防止し、同時に快適に使用するために、USBインターフェイス1を図３及び４に示したような構造にすることができる。
【００１６】
図３中、USBインターフェイス1は、固定部１１と、枢軸１３を通じて固定部１１に枢着され、同時に図の中の双方の矢印方向に沿って水平に回る可動部１２が含まれる。当該可動部１２は、他の電子設備のUSBインターフェイスを挿入して接続するために使われる。可動部１２の四つの接続点は、枢軸１３及び固定部１１の中に突出して設けられる導線を通じて四芯接続線２と接続される。
【００１７】
図４と図３の相違点は、可動部１２の回り方向が図中の双方向矢印の示す垂直方向であることである。もちろん、図３及び図４に示した方案を合わせて、ユニバーサルジョイント原理を利用していかなる方向に回るUSBインターフェイスを作ることができる。
【００１８】
図１，２を参照してみると、本実施例の中の巻線器４の具体的な構造は、巻線器４には転動盤４３が設けられ、当該転動盤４３の一面は箱体の外側表面に突出して設けられる。転動盤４３の他の一面は箱体に挿入され、巻線軸５の一端面の一体に成形して連結される。巻線軸５の他の一端は箱体の内側表面と枢着され、その枢着方式は箱体の中に巻線軸５に対応する位置に１つの環形突き縁４４が設けられ、当該環形突き縁４４の内径は巻線軸５の直径とマッチングし、巻線軸５の他の一端は環形突き縁４４のうちに設けられて、枢着構造に形成する。巻線軸５には四芯連続線２をスナップ（snap）するためのスナップイン（snappinｇ）構造が設けられ、当該スナップイン構造は一つの巻線軸５を止線溝５１であり、その幅が四芯接続線２の線径とマッチングして、四芯接続線２をそれに引っ掛けることができる。巻線軸５が回るときに、四芯接続線２が箱体の外に延び出す部分を箱体内に収納して巻線軸５に巻き取る。使用時には、実際に使用する伝送線の長さによってUSBインターフェイス１とデュアルトラックオーディオインターフェイス３を同時に箱体の外に引き出すことができる。
【００１９】
本実施例では、巻線軸５は環形突き縁４４の上部にあるので、軸の方に移動しやすくなる。それで、巻線軸５が転動盤４３と接続する端面に、箱体内に位置する止板５２を設置する。止板５２の直径は転動盤４３の直径より大きいので、巻線軸５が軸線の方向に移動することを防止できる。
【００２０】
使用者の操作を快適にするために、転動盤４３の側面の周りには押し操作のための凸角４３１と転動盤四３の表面には凹み４３２が設置される。
【００２１】
実施例２
【００２２】
図５に示したように、本実施例と上記の実施例１との相違点は、転動盤４３の表面の縁には一つの凹み溝が設けられ、凹み溝には、１つの取っ手４３３が枢着される。当該取っ手４３３は図中の双方向矢印の線方向に折り畳むことができ、線を巻き取るときに、使用者は取っ手４３３を開いて、転動盤４３を回転させることができる。  
【００２３】
実施例３
【００２４】
図６に示したように、本実施例と上記実施例２との相違点は、転動盤４３の本体の中に伸縮取っ手４３４が設けられ、当該伸縮取っ手４３４には１つの溝４３５を通して転動盤４３の表面から可動する可動ボタン４３４１が設けられる。使用者は可動ボタン４３４１を動かして伸縮取っ手４３４を転動盤４３へ可動させ或いは取り込ませることができる。
【００２５】
実施例４
【００２６】
図７、図８に示したように、本実施例と上記実施例１とは大きく違う。その相違点は巻線軸５の中には当該巻線軸５が四芯接続線２を引き出す状態で逆方向への回動力を発生するための復位スプリング６が設けられる。巻線軸５には止動装置が設けられ、当該止動装置は巻線軸５が逆方向へ戻るのを防止するのに使われる。止動装置は巻線軸５に囲繞されたラチェット７と弾力性プラグ８より形成する。弾力性プラグ８には箱体の内側の表面に固定されるプラグカバー８１と、当該プラグカバー８１の中に取り付けて、一端が延びてラチェット７の歯の間に挿入して設けられるプラグ柱８２が含まれる。プラグ柱８２はプラグカバー８１の中に位置する部分は、それの中に取り付けてプラグ柱８２を外に引き出すスプリング８３と接触する。プラグ柱８２には押しロッド８２１が設けられ、当該押しロッド８２１はプラグカバー８１及び箱体に対応して予め設けられる溝を通じて、箱体から引き出して、同時に箱体外部に設置する可動ボタン８２２と接続される。ラチェット７を設置するので、巻線軸５と箱体の枢着方式は図８に示した方案を採用する。箱体の内側の表面には巻線軸５の接続するところに突出柱４５が設けられ、当該突出柱４５は巻線軸５の中に適合して設置される。突出柱４５の中心には更に固定ロッド４５１が設けられる。発条を採用する復位スプリング６の一端は固定ロッド４５１に固定し、他の一端は巻線軸５の内壁に固定して、巻線軸５が回るときに、復位スプリング６は巻き取られて逆方向への回転力を発生する。
【００２７】
本実施例の使用時に、操作者が四芯接続線２を回転して引き出したのちに、プラグ柱８２の頂端はラチェット7の歯の間に挿入されるので、復位スプリング６の逆方向への転動力は巻線軸５が逆方向へ回転しないようにする。四芯接続線２を箱体の中に収納するとき、操作者は可動ボタン822を動かすことにより、プラグ柱82をラチェット７から離し、巻線軸５を自動的に逆方向へ回転させ、線を巻き取る操作を終了する。可動ボタン８２２が引き出されたのちスプリング83に押され当接する作用で、プラグ柱８２の頂上は再びラチェット７の歯の間に挿入される。
【００２８】
なお、本実施例のスナップイン構造は巻線軸5の上に設置する一つのスナップインボタン52で、当該スナップインボタン５２は予め四芯接続線２を巻線軸５に留め、巻き取りを終了する。スナップイン構造は図9に示した方式で設けられ、巻線軸５には1つの円形間隔板５３を囲繞して手で固定し、円形間隔板５３には縁から内方向へ止線溝５３１が設けられる。四芯接続線２は予め止線溝５３１の中で留められ、巻線軸５が回るときに、四芯接続線２は二組に分けて巻線軸５に巻き付くので、四芯接続線２の整理を保持するのに役立つ。
【００２９】
実施例５
【００３０】
図１０に示したように、本実施例は上記実施例４に基づいて改良されたもので、その相違点は箱体における開口４１と開口４２が同じ側に設けられるものであり、四芯接続線２が同じ方向に沿って引き出されて、巻き取られる。
【００３１】
実施例６
【００３２】
図１１に示したように、本実施例は実施例３と似ているが、その相違点は、箱体が方形で、また箱体の側面では開口４１と開口４２の縁において、それぞれ１つの収納溝４６が設けられることである。収納溝４６はデュアルトラックオーディオインターフェイス３とUSBインターフェイス1をおくために使われる。四芯連続線が完全に箱体に巻き取られた後、デュアルトラックオーディオインターフェイス３とUSBインターフェイス1を収納溝４６の中に留めておくことができ、巻線器４と一体形成されると同時にデュアルトラックオーディオインターフェイス３とUSBインターフェイス1のために好ましい保護を提供することができる。
【００３３】
実施例７
【００３４】
図１２に示したように、本実施例と上記実施例５の相違点は転動盤が無いことである。巻線軸二つは各自回転しまたは同時に回転し、また上下同心状に積み重なって箱体内に枢着する巻線半軸９より形成される。二つの巻線半軸９の接着する端面には、各自に１つの仕切板９１が固定して設けられ、二つの仕切板９１の間には四組のブラシ９２が設けられている。四芯接続線２は二つの部分に分かれ、それぞれ二つの巻線半軸９に巻き付けられ、当該四芯接続線２の二つの部分は箱体の中における接線端９３を通じて四組のブラシ９２の各々と対応して電気接続される。
【００３５】
二つの巻線半軸９の内部には四芯接続線２を逆方向に巻き取るための復位スプリング６が設けられる。二つの巻線半軸９と箱体との間にはそれぞれ巻線半軸９が四芯接続線２を逆方向に巻き取るのを許可或いは禁止するための手動止動器が設けられ、当該手動止動器は巻線半軸９に固定される転動部１０と、箱体に固定されるコントロール部２０より構成される。
【００３６】
転動部１０は巻線半軸９と箱体の枢着端との部分に囲繞される円盤であり、当該円盤には箱体に向かう表面に外縁に沿って複数の突出歯１０１が分散して設けられ、上記多くの突出歯１０１は１つの環形を構成する。コントロール部の構造は、図１３に示すように、箱体の内側表面に固定され、一端がオープンの柱形筐体２０１及び当該柱形筐体２０１の中に取り付けられて、一端が伸びる止動プラグ２０２が含まれる。当該止動プラグ２０２の外端部には多くの突出歯１０１とマッチングする止動歯２０２aが設けられる。止動プラグ２０２は柱形筐体２０１における部分が当該柱形筐体２０１の中に取り付けて止動プラグ202を外に引き出すためのスプリング２０３と当接する。止動プラグ２０２には押しロッド２０２ｂが設けられ、当該押しロッド２０２ｂは柱形筐体２０１及び箱体に予めに設けられた溝を通して箱体から引き出し、当該箱体の外部に設置された可動ボタン２０２ｃと接続される。
【００３７】
複数の突出歯１０１と止動歯２０２aの切断面形状と配合関係は図１４に示したようにする。図から分かるように、複数の突出歯１０１と止動歯２０２aの切断面形状はすべて直角三角形であり、且つ複数の突出歯１０１の垂直面が止動歯２０２aの垂直面と接続される。巻線半軸９が回転して、且つ複数の突出歯１０１が図の中の矢印の方向に沿って移動するとき、斜面の作用により転動部１０は材料の弾力的変形を通じて止動歯202aの下に滑り落ちる。転動部１０が回ることが停止するとき、即ち巻線半軸９の線の転動の防止が停止するとき、止動歯202aの垂直面は１つの突出歯１０１の垂直面に当接し、そして突出歯１０１が復位スプリング６の反作用力より発生した逆方向への移動を防止する。線を巻き取るとき、操作者は可動ボタン２０２ｃを動かすと、止動プラグ２０２が柱形筐体２０１内に戻り、止動歯２０２aは突出歯１０１から離れるので、阻止する力がなくなり、転動部１０が復位スプリング６の反作用力で回転し、四芯接続線２が箱体に巻き込まれる。
【００３８】
本実施例では、巻線軸二つが各自に或いは同時に回転し、且つ上下同心に積み重なる巻線半軸９より構成するので、使用者は需要によって四芯接続線２を各々引き出したり、あるいは同時に引き出したりすることを選択できる。四芯接続線を巻き取るときも同様である。同時に或いは各々巻き取ったり、引き出したりすることを問わず、四個の線端９３及び四組のブラシ９２は、二つの部分の四芯接続線２を好ましく接続させることができる。
【００３９】
本実施例では、転動部１０の表面にも外縁に沿って、図１５に示したように、一つの環形ダンパー帯１０２を分散して設置してもいい。環形ダンパー帯１０２は好ましい摩擦特性を持つ材料で作られ、同時に対応する止動プラグ２０２の外端部にも摩擦材料が設けられるので、停止する作用を有する。
【００４０】
実施例８
【００４１】
図１６及び図１７に示したように、本実施例の巻線軸５は、箱体の中に枢着される転軸であり、当該転軸には四芯接続線２を貫通するようにするスナップイン孔５４が設けられ、当該転軸の一端には円板形のボックス３０が囲繞されて固定され、当該円板形のボックス３０の中には逆方向へ四芯接続線２を巻き取るための復位スプリング６（発条も採用できる）が設けられる。円板形のボックス３０の側面には同方向の斜め凹歯３０１が分散して削り設けられている。箱体の側面には止動ボタン４０が設けられ、当該止動ボタン４０は箱体内側の底部に位置し、斜めに円板形のボックス３０側面と当接する止動ロッド４０１が設けられる。当該止動ロッド４０１の端部には斜め凹歯３０１と適合する尖った角がある。止動ロッド４０１と止動ボタン４０の底部とが当接する部分は１つの枢軸４０２を通じて箱体と枢着する。
【００４２】
本実施例では、取り付けるとき、先ず四芯接続線２をスナップイン孔５４に貫通させて転軸に囲繞させ、同時に復位スプリング6を一般的な取付け方式で円板形のボックス30の中に置く。四芯接続線2が引き出されるとき、転軸は円板形のボックスを回転し、その内部に置く復位スプリング６を縮めて、線の引き出しが終了するとき、止動ロッド401の端部の尖った角は斜め凹歯301の中に挿入されるので、円板形のボックス30が逆方向に回転しないようにする。使用後、操作者は止動ボタン40を押すと、止動ロッドが持ち上がり端部の尖った角が斜め凹歯301から離れ、円板形のボックス30が復位スプリング6の作用で逆方向へ回転すると、四芯接続線２が箱体の中に巻き込まれ、再び転軸の上に巻き付けられる。本実施例で線を引き出すとき、需要によって段別に引き出すことができる。生産段階において、斜め凹歯30１の間の距離は任意に設定でき、その長さ寸法は四芯接続線２を引き出す段毎に決める。
【００４３】
実施例９
【００４４】
図１８及び図１９に示したように、本実施例と上記の実施例一つの相違点は、巻線軸５において囲繞され固定される二層の間隔板が設けられることである。その中で、下層の間隔板５０２は箱体側の下表面には巻線軸５を円の中心として１つの円形リブ503が設けられる。箱体の中に円形リブ503の側面には更に1つの固定軸60が設けられ、当該固定軸60には多層環状トルクスプリング70が囲繞され、当該多層環状トルクスプリング７０の中心端部は固定軸６０に留められて固定され、多層環状トルクスプリング70の外側の他の一端が円形環肋503の表面に留められて固定される。四芯接続線２は巻線軸5に巻き付けられて、それぞれ下層の間隔板502と上層の間隔板５０１との間に、及び上層の間隔板５０１と箱体の内側表面との間に形成される空間の中に設けられる。下層の間隔板502の側面には分散して上記実施例８と同じ斜め凹歯30１が削り設けられている。箱体の側面には上記実施例８と同じ止動ボタン４０及び止動ロッド４０１が設けられ、止動ロッド４０１の端部には斜め凹歯３０１と適合する尖った角がある。
【００４５】
本実施例のものを生産するとき、予め四芯接続線２を巻線軸5に巻き付けて使用するときは、四芯接続線２を引き出すとき、巻線軸５が回転し、多層の環状トルクスプリング７０は円形リブ503の表面に巻き付けられるので、逆方向への作用力が発生し、当該逆方向への作用力は線を巻き取るときに巻線軸5に逆方向への転動力を提供することができる。止動ボタン40、止動ロッド４０１及び下層の間隔板502の側面に分散して削り設けられた斜め凹歯30１の作用は上記実施例８と同様なので、説明を省略する。
【００４６】
最後に説明すべきものは、上記実施例は本発明に係る技術を説明するだけのものであり、限定されるものではない。上記具体的な実施の形態を挙げて、本発明について説明したが、当業者であれば、当該技術分野における技術常識及び本明細書の記載に基づき、本発明の技術形態について各種態様の修正或いは変更を行うことができ、本発明の技術形態の精神及び範囲を逸脱しない範囲内で、本発明の技術的範囲に属することは明白である。
【図面の簡単な説明】
【００４７】
【図１】本発明の実施例１の構造に関する説明図である。
【図２】図１に示す実施例の内部構造に関する説明図である。
【図３】本発明の１つのUSBインターフェイスに関する説明図である。
【図４】本発明の他のUSBインターフェイスに対する説明図である。
【図５】本発明の実施例２の構造に関する説明図である。
【図６】本発明の実施例３の構造に関する説明図である。
【図７】本発明の実施例４の構造に関する説明図である。
【図８】図７に示す実施例の巻線軸の内部構造に関する説明図である。
【図９】図７に示す実施例の一つのスナップイン構造に関する説明図である。
【図１０】本発明の実施例５の構造に関する説明図である。
【図１１】本発明の実施例６の構造に関する説明図である。
【図１２】本発明の実施例７の構造に関する説明図である。
【図１３】図１２に示す実施例の中のコントロール部の構造に関する説明図である。
【図１４】図１２に示す実施例の中の突出歯と止動歯の配合関係に関する説明図である。
【図１５】図１２に示す実施例の中の他の転動部の構造に関する説明図である。
【図１６】本発明の実施例８の側面の切断構造図である。
【図１７】図１６に示す実施例の底面の切断構造図である。
【図１８】本発明の実施例９の側面の切断構造図である。
【図１９】図１８に示す実施例の底面の切断構造図である。
【図１】
2008538443.tif 000003
【図２】
2008538443.tif 000004
【図３】
2008538443.tif 000005
【図４】
2008538443.tif 000006
【図５】
2008538443.tif 000007
【図６】
2008538443.tif 000008
【図７】
2008538443.tif 000009
【図８】
2008538443.tif 000010
【図９】
2008538443.tif 000011
【図１０】
2008538443.tif 000012
【図１１】
2008538443.tif 000013
【図１２】
2008538443.tif 000014
【図１３】
2008538443.tif 000015
【図１４】
2008538443.tif 000016
【図１５】
2008538443.tif 000017
【図１６】
2008538443.tif 000018
【図１７】
2008538443.tif 000019
【図１８】
2008538443.tif 000020
【図１９】
2008538443.tif 000021
【国際調査報告】
2008538443.tif 000022
2008538443.tif 000023
2008538443.tif 000024
2008538443.tif 000025